(57)【要約】【課題】  通信にかかるユーザコストの削減をはかり、プレゼンス情報の更新にインセンティブを持たせる。【解決手段】  近距離無線通信により周辺に位置する端末Ｂ、Ｃの存在を確認し、ある端末選定基準に従い選定された端末Ａによって収集される周辺に位置する端末Ｂ、Ｃのプレゼンス情報を一括してＩＭサーバへ送信することで、プレゼンス情報更新完了の通知を受けた周辺に位置する各端末Ｂ、Ｃは、自端末内でプレゼンス情報を更新し、端末Ａと同期をとる。また、端末選定基準として、例えば、プレゼンス情報の収集ならびに通知の請負の有無により所定の値が増減する貸し借り値を管理し、周辺に位置する端末ユーザの貸し借り値を取得して自身の貸し借り値と比較して借りの最も大きな端末を選定する。【選択図】    図１
2005038208.tif 000002
【特許請求の範囲】
【請求項１】
ネットワークに接続されるそれぞれの端末にプレゼンス情報変更の通知を行い、前記端末間でネットワークコミュニケーションを行うプレゼンス情報管理装置であって、
近距離無線通信により周辺に位置する端末の存在を確認し、前記周辺に位置する端末のプレゼンス情報を、ある端末選定基準に従い選定された端末において収集し、当該選定された端末から一括してサーバへ送信するプレゼンス情報一括送信手段、
を備えることを特徴とするプレゼンス情報管理装置。
【請求項２】
前記周辺に位置する端末に対して近距離無線通信により前記サーバへプレゼンス情報を送信したことを通知し、当該端末内でのプレゼンス情報の更新を指示して同期をとるプレゼンス情報更新指示手段と、
を備えることを特徴とする請求項１に記載のプレゼンス情報管理装置。
【請求項３】
前記端末選定基準として、
前記プレゼンス情報の収集ならびに通知の請け負いの有無により所定の値が増減する貸し借り値を管理し、前記近距離無線通信により周辺に位置する端末ユーザの貸し借り値を取得し、自身の貸し借り値と比較して借りの最も大きな端末を選定することを特徴とする請求項１に記載のプレゼンス情報管理装置。
【請求項４】
前記端末選定基準として、
前記周辺に位置する端末をグルーピングし、当該グルーピングされた端末内であらかじめ定義される優先順位に従い前記プレゼンス情報の収集ならびに通知を請け負う端末をあらかじめ決めておき、順番に割当てるラウンドロビン方式に従うことを特徴とする請求項１に記載のプレゼンス情報管理装置。
【請求項５】
前記端末選定基準として、
前記プレゼンス情報の収集ならびに通知を請け負った際のタイムスタンプを保持し、前記近距離無線通信により周辺に位置する端末ユーザのタイムスタンプを取得し、自身のタイムスタンプと比較してタイムスタンプの最古の端末を選定することを特徴とする請求項１に記載のプレゼンス情報管理装置。
【請求項６】
前記端末選定基準として、
前記プレゼンス情報の収集ならびに通知を請け負った際の総パケット数を保持し、前記近距離無線通信により周辺に位置する端末の総パケット数を取得し、自身の総パケット数と比較して総パケット数の最小の端末を選定することを特徴とする請求項１に記載のプレゼンス情報管理装置。
【請求項７】
ネットワークに接続されるそれぞれの端末にプレゼンス情報変更の通知を行い、前記端末間でネットワークコミュニケーションを行うプレゼンス情報管理装置に用いられるプログラムであって、
近距離無線通信により周辺に位置する端末の存在を確認し、前記周辺に位置する端末のプレゼンス情報を、ある端末選定基準に従い選定された端末において収集し、当該選定された端末から一括してサーバへ送信するステップ、
をコンピュータに実行させるプレゼンス情報管理プログラム。
【請求項８】
前記ステップは、前記プレゼンス情報の収集ならびに通知の請け負いの有無により所定の値が増減する貸し借り値を管理し、前記近距離無線通信により周辺に位置する端末ユーザの貸し借り値を取得し、自身の貸し借り値と比較して借りの最も大きな端末を選定するサブステップを含むことを特徴とする請求項７に記載のプレゼンス情報管理プログラム。
【発明の詳細な説明】
【技術分野】
【０００１】
本発明は、ある端末のプレゼンス情報が変更される都度、ネットワークに接続されるそれぞれの端末にプレゼンス情報変更の通知を行い、端末間でネットワークコミュニケーションを行うプレゼンス管理装置およびそのプログラムに関する。
【背景技術】
【０００２】
インターネットの普及に伴い、ユーザ間でネットワークコミュニケーションを行う機会が増加している。ネットワーク上で簡単なメッセージ交換を行うためのコミュニケーションツールの代表的なものにインスタントメッセージシステム（以下、単にＩＭシステムという）がある。最近では携帯電話端末への普及も見られるようになった。
【０００３】
ところで、在籍、不在等、ユーザのプレゼンス情報の維持管理を容易化するために、ユーザの在籍の有無につき入力端末を用いて入力してＬＡＮ（Local Area Network）サーバに登録し、同じくＬＡＮ接続された表示端末でユーザの在籍の有無を表示する在籍表示システムが知られている（例えば、特許文献１参照）。
上記したＩＭシステムにおいても同様、ユーザのプレゼンス情報はＩＭサーバによって管理され、メッセージ交換を開始するコミュニケーションのトリガとして使用される。具体的には、メッセージ交換を行いたい特定の相手をＩＭサーバへ登録し、このＩＭサーバは、登録者の一覧をコンタクトリストとしてユーザに提供し、お互いのプレゼンス情報を公開してお互いがメッセージ交換可能な状態にある場合にのみ、ＩＭシステムを利用してメッセージの送受信を行う。
【特許文献１】特開平１０−２０７９３８号公報
【発明の開示】
【発明が解決しようとする課題】
【０００４】
ところで、携帯電話端末上のＩＭシステムにおいては、プレゼンス情報の更新を行う毎にプレゼンスの送信通知用のパケットが必要になっている。このため、以下に列挙する問題が発生する。
（１）送受信のためのパケットが発生して課金されるため、プレゼンス情報更新のためのインセンティブ低下の原因となる。
（２）利用頻度も下がり、プレゼンス情報としての信頼性も低下する。利用頻度減少の結果、全体としての利用者数が減るため、プレゼンス情報を交換するユーザ数（コンタクトリスト内ユーザ）も減少してしまう。
そもそもプレゼンス情報を通知する相手は、会議や出張等により、傍で同じことを行っているケースが殆どであり、それぞれの端末がプレゼンス情報をＩＭサーバへ個別に通知する場合、通信発生時に発生するパケットはコスト面がかさむ。
【０００５】
本発明は上記事情に鑑みてなされたものであり、いずれか一つの端末がプレゼンス情報の通知を請け負うことにより通信にかかるユーザコストの削減をはかり、プレゼンス情報更新にインセンティブを持たすことのできる、プレゼンス情報管理装置およびそのプログラムを提供することを目的とする。
また、プレゼンス情報の通知を行う端末を巡回させ割当てることで、公平さを維持した、プレゼンス情報管理装置およびそのプログラムを提供することも目的とする。
【課題を解決するための手段】
【０００６】
上記した課題を解決するために本発明は、ネットワークに接続されるそれぞれの端末にプレゼンス情報変更の通知を行い、前記端末間でネットワークコミュニケーションを行うプレゼンス情報管理装置であって、近距離無線通信により周辺に位置する端末の存在を確認し、前記周辺に位置する端末のプレゼンス情報を、ある端末選定基準に従い選定された端末において収集し、当該選定された端末から一括してサーバへ送信するプレゼンス情報一括送信手段、を備えることを特徴とする。
【０００７】
本発明によれば、プレゼンス情報一括送信手段が、近距離無線通信により周辺に位置する端末の存在を確認し、ある端末選定基準に従い選定された端末によって収集される周辺に位置する端末のプレゼンス情報を一括してサーバへ送信することで、いずれか一つの端末にプレゼンス情報の通知を請け負わせることができ、このことにより、通信にかかるユーザコストの削減をはかり、プレゼンス情報更新にインセンティブを持たせることができる。
【０００８】
また、本発明において、前記周辺に位置する端末に対して近距離無線通信により前記サーバへプレゼンス情報を送信したことを通知し、当該端末内でのプレゼンス情報の更新を指示して同期をとるプレゼンス情報更新指示手段と、を備えることを特徴とする。
【０００９】
本発明によれば、プレゼンス情報更新指示手段が、周辺に位置する端末に対して近距離無線通信によりサーバへプレゼンス情報を送信したことを通知し、当該端末内でのプレゼンス情報の更新を指示することで、プレゼンス情報更新完了の通知を受けた周辺に位置する各端末は、端末内でプレゼンス情報を更新し他と同期をとることができ、通信を要することなくプレゼンス情報を変更できるため、通信コストを削減することができる。
【００１０】
また、本発明において、前記端末選定基準として、前記プレゼンス情報の収集ならびに通知の請け負いの有無により所定の値が増減する貸し借り値を管理し、前記近距離無線通信により周辺に位置する端末ユーザの貸し借り値を取得し、自身の貸し借り値と比較して借りの最も大きな端末を選定することを特徴とする。
【００１１】
本発明によれば、プレゼンス情報の収集ならびに通知の請け負いの有無により所定の値が増減する貸し借り値を管理し、周辺に位置する端末ユーザの貸し借り値を取得し、自身の貸し借り値と比較して借りの最も大きな端末を選定することを端末選定基準とすることで、多くのプレゼンス情報を更新することがコスト面で有利になるため、コンタクトリスト数を増やすインセンティブになりうる。また、プレゼンス情報の通知を行う端末を巡回させ割当てることができるため、公平さを維持することができる。
【００１２】
また、本発明において、前記端末選定基準として、前記周辺に位置する端末をグルーピングし、当該グルーピングされた端末内であらかじめ定義される優先順位に従い前記プレゼンス情報の収集ならびに通知を請け負う端末をあらかじめ決めておき、順番に割当てるラウンドロビン方式に従うことを特徴とする。
【００１３】
また、本発明において、前記端末選定基準として、前記プレゼンス情報の収集ならびに通知を請け負った際のタイムスタンプを保持し、前記近距離無線通信により周辺に位置する端末ユーザのタイムスタンプを取得し、自身のタイムスタンプと比較してタイムスタンプの最古の端末を選定することを特徴とする。
【００１４】
また、本発明において、前記端末選定基準として、前記プレゼンス情報の収集ならびに通知を請け負った際の総パケット数を保持し、前記近距離無線通信により周辺に位置する端末の総パケット数を取得し、自身の総パケット数と比較して総パケット数の最小の端末を選定することを特徴とする。
【００１５】
上記した課題を解決するために本発明は、ネットワークに接続されるそれぞれの端末にプレゼンス情報変更の通知を行い、前記端末間でネットワークコミュニケーションを行うプレゼンス情報管理装置に用いられるプログラムであって、近距離無線通信により周辺に位置する端末の存在を確認し、前記周辺に位置する端末のプレゼンス情報を、ある端末選定基準に従い選定された端末において収集し、当該選定された端末から一括してサーバへ送信するステップ、をコンピュータに実行させることを特徴とする。
【００１６】
また、本発明において、前記ステップは、前記プレゼンス情報の収集ならびに通知の請け負いの有無により所定の値が増減する貸し借り値を管理し、前記近距離無線通信により周辺に位置する端末ユーザの貸し借り値を取得し、自身の貸し借り値と比較して借りの最も大きな端末を選定するサブステップを含むことを特徴とする。
【発明の効果】
【００１７】
以上説明のように本発明によれば、近距離無線通信により周囲に位置する端末を確認するだけで課金される通信を必要とせずにプレゼンス情報の更新が可能となるため、通信にかかるユーザコストの低減がはかれる。また、プレゼンス情報が頻繁に変化することによりプレゼンス情報としての信頼性向上がはかれ、利用頻度の増加が期待できる。
更に、貸し借り値等により、より多くのユーザプレゼンスを更新することがコスト面で有利になるため、コンタクトリスト数を増やすためのインセンティブとすることができる。
【発明を実施するための最良の形態】
【００１８】
図１は、本発明のプレゼンス情報管理装置が接続されるＩＭシステム構成の一例を示す図である。
図１において、符号１１、１２、１３は、インスタントメッセンジャを内蔵した携帯電話端末であり、以降では、それぞれを端末Ａ（１１）、端末Ｂ（１２）、端末Ｃ（１３）という。また、符号１４は、ＩＭサーバであり、端末Ａ（１１）、端末Ｂ（１２）、端末Ｃ（１３）のそれぞれとは、図示せぬＩＰ（Internet Protocol）網を介して接続されている。
【００１９】
図１に示す例によれば、インスタントメッセージを利用するユーザＡ、ユーザＢ、ユーザＣがいて、ユーザＡ、ユーザＢ、ユーザＣは、それぞれ、端末Ａ（１１）、端末Ｂ（１２）、端末Ｃ（１３）を所持している。
そして、ユーザＡは、ユーザＢ、ユーザＣのプレゼンス情報を自身のコンタクトリストＣＬａに保持し、ユーザＢは、ユーザＡ、ユーザＣのプレゼンス情報を自身のコンタクトリストＣＬｂに保持し、ユーザＣは、ユーザＢ、ユーザＡのプレゼンス情報を自身のコンタクトリストＣＬｃに保持している。コンタクトリストＣＬａ〜ＣＬｃは、それぞれの端末Ａ（１１）、Ｂ（１２）、Ｃ（１３）が持つ記憶領域に割当てられ、プレゼンス情報を表示するリストである。
上記した記憶領域には更に、互いの端末を特定するＩＰアドレス等の情報も格納されている。また、それぞれの端末Ａ（１１）、端末Ｂ（１２）、端末Ｃ（１３）は、ブルートゥース、ＩｒＤＡ（Infrared Data Association）等、近距離無線通信のための手段を内蔵することとする。
【００２０】
上記構成において、まず、端末Ａ（１１）は、近距離無線通信を用いて周辺に端末Ｂ（１２）、端末Ｃ（１３）が存在していることを検出する。一方、端末Ａ（１１）、端末Ｂ（１２）、端末Ｃ（１３）は、後述する端末選定基準に基づいてＩＭサーバ１４と通信する端末を選定する。ここで、端末Ａ（１１）が選定された場合、端末Ａ（１１）は、ユーザＢ、Ｃのプレゼンス情報を端末Ｂ（１２）、端末Ｃ（１３）を介して収集し、一括してＩＭサーバ１４へ送信する。
端末Ａ（１１）は、ＩＭサーバ１４から、端末Ａ（１１）、端末Ｂ（１２）、端末Ｃ（１３）のプレゼンス情報更新の通知を受け、更に、端末Ｂ（１２）、端末Ｃ（１３）に対して近距離無線通信によりプレゼンス情報をＩＭサーバ１４へ通知した旨をメッセージ送信する。このことにより、端末Ｂ（１２）、端末Ｃ（１３）は、自端末内におけるインスタントメッセージのプレゼンス情報の更新を行い、他の端末との同期をとる。
【００２１】
上記した端末選定基準は、プレゼンス情報の通知を行う端末を巡回させ割当て、公平さを維持するために用意されるものであり、以下に、（１）〜（４）として列挙する。
（１）貸し借り値による選定：
プレゼンス情報の収集ならびに通知の請け負いの有無により所定の値が増減する貸し借り値を管理し、周辺に位置する端末ユーザの貸し借り値を取得し、自身の貸し借り値と比較して借りの最も大きな端末を選定する。
（２）ラウンドロビンによる選定：
プレゼンス情報の収集ならびに通知を請け負う端末をあらかじめ決めておき、順番に割当てるラウンドロビン方式に従う。具体的には、周辺に位置する端末、例えば、図１に示す端末Ａ（１１）、端末Ｂ（１２）、端末Ｃ（１３）を一つのグループと認識し、当該グループ内での優先順位を、例えば、端末Ａ（１１）は１位、端末Ｂ（１２）は２位、端末Ｃ（１３）は３位と定義し、当該優先順位に従いプレゼンス情報の収集ならびに通知を請け負う端末をあらかじめ決めておく。
【００２２】
（３）タイムスタンプによる選定：
プレゼンス情報の収集ならびに通知を請け負った際のタイムスタンプを保持し、周辺に位置する端末ユーザのタイムスタンプを取得し、自身のタイムスタンプと比較してタイムスタンプの最古の端末を選定する。
（４）総パケット量による選定：
プレゼンス情報の収集ならびに通知を請け負った際の総パケット数を保持し、周辺に位置する端末の総パケット数を取得し、自身の総パケット数と比較して総パケット数の最小の端末を選定する。
【００２３】
図２は、本発明のプレゼンス情報管理装置としての端末Ａ（１１）の内部構成を機能展開して示したブロック図である。
端末Ａ（１１）は、近距離無線通信部１１１と、プレゼンス情報一括送信部１１２と、プレゼンス情報更新指示部１１３と、端末選定基準部１１４と、端末選定パラメータ記憶部１１５で構成される。
【００２４】
近距離無線通信部１１１は、上記したようにブルートゥース、ＩｒＤＡ等、無線媒体による通信機能を有し、プレゼンス情報一括送信部１１２は、近距離無線通信部１１１を利用した近距離無線通信により電波送受信許容範囲にある周辺に位置する端末の存在を検出し、ある端末選定基準に従い選定された端末（以下、マスタ端末という）によって収集される、周辺に位置する端末のプレゼンス情報を一括してＩＭサーバ１４へ送信する機能を持つ。
また、プレゼンス情報更新指示部１１３は、周辺に位置する端末に対して近距離無線通信によりＩＭサーバ１４へプレゼンス情報を送信したことを通知し、当該端末内でのプレゼンス情報の更新を指示して同期をとる機能を持つ。
【００２５】
なお、端末選定基準部１１４は、端末選定パラメータ記憶部１１５に保持された、貸し借り値、タイムスタンプ、総パケット量のうち、いずれかのパラメータ情報に基づき、自端末と他端末のパラメータの大小を比較してプレゼンス情報の収集ならびに通知を請け負うマスタ端末を選定する機能を持つ。
【００２６】
図３は、本発明実施形態の動作を説明するために引用したフローチャートであり、具体的には本発明のプレゼンス情報管理プログラムの処理手順を示す図である。ここでは、端末選定基準として、貸し借り値をパラメータとしてマスタとなる端末を選定する例が示されている。
また、図４は、本発明が使用されるＩＭシステム全体の動作を説明するために引用した動作シーケンス図であり、図３のフローチャートの説明を補うべく端末Ａ（１１）、端末Ｂ（１２）、ＩＭサーバ１４間の情報の送受信に関して示した図である。なお、図４中、図３に示されるステップ番号と同じ番号が付されたステップは、図３に示すステップに相当する。
ここでは、インスタントメッセージを利用するユーザＡ、ユーザＢがいて、ユーザＡ、ユーザＢは、それぞれ、端末Ａ（１１）、端末Ｂ（１２）を所持している。そして、ユーザＡは、ユーザＢのプレゼンス情報を自身のコンタクトリストＣＬａに保持し、ユーザＢは、ユーザＡのプレゼンス情報を自身のコンタクトリストＣＬｂに保持している。また、端末Ａ（１１）、端末Ｂ（１２）は、それぞれの現在における貸し借り値を端末選定パラメータ記憶部１１５に上記したコンタクトリスト毎に保持してあるものとする。
以下、図３、図４を参照しながら図１、図２に示す本発明実施形態の動作について詳細に説明する。
【００２７】
まず、端末Ａ（１１）、端末Ｂ（１２）は、近距離無線通信部１１１により電波送受信許容範囲に位置する、それぞれ端末Ｂ（１２）、端末Ａ（１２）の存在を検出して確認する（Ｓ３１）。そして、互いに周辺に位置する端末に対して貸し借り値αの取得要求を発行し（Ｓ３２）、また、自身の貸し借り値βを記憶領域から読み出し（Ｓ３３）、比較を行うことによりマスタとなる端末の選定を行う（Ｓ３４）。
すなわち、図１に示されるように端末Ａ（１１）、端末Ｂ（１２）間で貸し借り値の交渉（ａ）が行われ、周辺に位置する端の貸し借り値αと自身の貸し借り値βとを比較し、借りの最も大きな端末をマスタ端末として選定する。ここでは、端末Ａ（１１）がマスタ端末として選定され、マスタである端末Ａ（１１）が、周辺に位置するスレーブとなる端末Ｂ（１２）のプレゼンス情報を収集し、自身のプレゼンス情報と共にＩＭサーバ１４へ一括送信する役割（ｂ）を担う。
【００２８】
マスタの端末Ａ（１１）は、スレーブである端末Ｂ（１２）に対してプレゼンス情報の取得依頼要求を発行し、近距離無線通信部１１１を介して取得後（Ｓ３５）、プレゼンス情報一括送信部１１２により、ＩＭサーバ１４へ自身のプレゼンス情報と共に送信してプレゼンス更新要求を発行する（Ｓ３６）。これにより、IMサーバ１４において、端末Ａ（１１）および端末B（１２）のプレゼンス情報が更新される。
そして、ＩＭサーバ１４からプレゼンス更新完了の通知を受けると（Ｓ３７）、スレーブの端末Ｂ（１２）に対し、プレゼンス情報更新指示部１１３を介して近距離無線通信によりＩＭサーバ１４へプレゼンス情報を送信したことを通知し（Ｓ３８）、スレーブの端末Ｂ（１２）内でのプレゼンス情報の更新を指示して同期をとることを指示する。
【００２９】
なお、上記Ｓ３８の処理において、電波事情等により近距離無線通信ができない状況で同期がとれない場合には、後に、ＩＭサーバ１４から直接プレゼンス情報の更新を行うように構成してもよい。
このことにより、スレーブの端末Ｂ（１２）では、自端末内でのインスタントメッセージのプレゼンス情報の更新を行い、マスタの端末Ａ（１１）との同期をとることができる。
【００３０】
マスタの端末Ａ（１１）は、更に、スレーブの端末Ｂ（１２）から、今回の通信（スレーブの端末Ｂ（１２）のプレゼンス情報の通知を請け負ったこと）が反映された貸し借り値の変更通知を受信し（Ｓ３９）、自身の貸し借り値の変更も行う（Ｓ４０）。
上記したよう、に貸し借り値については端末選定パラメータ記憶部１１５に保持されてあるため、ここで更新処理が発生し、具体的には、プレゼンス情報を更新した人数分だけ、例えば、ユーザＡが＋２、ユーザＢが「−１」だけ貸し借り値を増減させることになる。
一方、スレーブの端末Ｂ（１２）は、マスタの端末Ａ（１１）からプレゼンス情報取得要求が発行されたときに（Ｓ４１）近距離無線通信により自身のプレゼンス情報を送信する（Ｓ４２）。また、マスタの端末Ａ（１１）からＩＭサーバ１４によるプレゼンス情報更新完了メッセージを受信したときに（Ｓ４３）、自身が持つ貸し借り値を、今回の借りを反映させるために変更し（Ｓ４４）、その貸し借り値を変更した旨をマスタの端末Ａ（１１）に近距離無線通信により通知する（Ｓ４５）。
【００３１】
なお、ここでの説明における貸し借り値に代え、例えば、優先順位、タイムスタンプ、あるいはパケット量等を端末選定パラメータ記憶部１１５に記憶させ、マスタ端末を選定するようにしてもよい。
【００３２】
以上説明のように本発明は、いずれか一つの端末がプレゼンス情報の通知を請け負うことにより通信にかかるユーザコストの削減をはかり、プレゼンス情報更新にインセンティブを持たせるものである。また、プレゼンス情報の通知を行う端末を巡回させ割当てることで、公平さを維持するものである。
なお、図２に示すプレゼンス情報一括送信部１１２、プレゼンス情報更新指示部１１３、端末選定基準部１１４のそれぞれで実行される手順をコンピュータ読取り可能な記録媒体に記録し、この記録媒体に記録されたプログラムをコンピュータシステムに読み込ませ、実行することにより本発明のプレゼンス情報管理装置が実現されるものとする。ここでいうコンピュータシステムとは、ＯＳや周辺機器等のハードウェアを含むものである。
【００３３】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３４】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３５】
【図１】本発明のプレゼンス情報管理装置が接続されるシステム構成の一例を示す図である。
【図２】本発明のプレゼンス情報管理装置としての端末Ａの内部構成を機能展開して示したブロック図である。
【図３】本発明実施形態の動作を説明するために引用したフローチャートである。
【図４】本発明が使用されるＩＭシステム全体の動作を説明するために引用した動作シーケンス図である。
【符号の説明】
【００３６】
１１…端末Ａ、１２…端末Ｂ、１３…端末Ｃ、１４…ＩＭサーバ、１１１…近距離無線通信部、１１２…プレゼンス情報一括送信部、１１３…プレゼンス情報更新指示部、１１４…端末選定基準部、１１５…端末選定パラメータ記憶部
【図１】
2005038208.tif 000003
【図２】
2005038208.tif 000004
【図３】
2005038208.tif 000005
【図４】
2005038208.tif 000006